(57)【要約】      （修正有）【課題】羽根が損傷したシャトルでも途中で引っ掛かって詰まることなく円滑に落下して、１個ずつ確実に取出してノック練習を効率よく行なえると共に、シャトル収納部の高さや向き、傾斜角度の調整が容易なバドミントンノック用シャトルホルダーを提供する。【解決手段】先端側をシャトル外径より小さく開口してシャトル取出口５を形成し、後端側をシャトル挿入口６とした、内径がシャトル外径より大きく透明な円筒体７の内側底面に長手方向に沿ったガイド溝８を形成してシャトル収納部２とし、このシャトル収納部２の中間外側に連結部１２を設けて、この連結部１２を、自在継ぎ手１４に取付けた他方の連結部１５を上部に有する折畳み自在の三脚３に着脱自在に取付けたものである。【選択図】図２
0003149402.tif 000002
【実用新案登録請求の範囲】
【請求項１】
先端側をシャトル外径より小さく開口してシャトル取出口を形成し、後端側をシャト挿入口とした、内径がシャトル外径より大きく透明な円筒体の内側底面に長手方向に沿ったガイド溝を形成してシャトル収納部とし、このシャトル収納部の中間外側に連結部を設けて、この連結部を、自在継ぎ手に取付けた連結部を上部に有する折畳み自在の三脚に着脱自在に取付けたことを特徴とするバドミントンノック用シャトルホルダー。
【請求項２】
三脚がカメラ支持用の三脚で形成されていることを特徴とする請求項１記載のバドミントンノック用シャトルホルダー。
【考案の詳細な説明】
【技術分野】
【０００１】
本考案は、バドミントンノック用シャトルを複数個まとめて保持するホルダーに関するものである。
【背景技術】
【０００２】
バドミントンのノックを練習する場合、シャトルを１個ずつ拾い上げるか、補助する人に手渡してもらうかして練習している。このため、シャトルを１個ずつ取出すことができるシャトルコックの球出し器も提案されている（特許文献１）。
【０００３】
これは、両端に開口部を有し、軸方向にシャトルの最大径よりも大径の空胴部を有する筒体の下端開口部に、該筒体の空胴部を落下したシャトルの頭部が露出する取出口を設けたシャトル繰出し筒を形成し、このシャトル繰出し筒を、下降角度自在に且つ上下移動自在に支持するポールに支持したものである。
【０００４】
しかしながら、従来のシャトルの球出し器は、シャトルを収納して、順次落下させるシャトル繰出し筒が、シャトルの最大径よりも大径に余裕を持って形成されているので、複数のシャトルを順次挿入する場合、シャトルが筒体の空胴部内で傾いて途中で詰まってしまう問題があった。特に繰り返し使用していてシャトルの羽根が損傷したものは、引っ掛かり易い問題があった。またシャトル繰出し筒は、ベースに立設したポールに支持されているので、シャトル繰出し筒の取付けや取外し、および取付け高さの調整が面倒であった。
【先行技術文献】
【特許文献】
【０００５】
【特許文献１】特開平９−１１７５３９号公報
【考案の概要】
【考案が解決しようとする課題】
【０００６】
本考案は上記問題を改善し、羽根が損傷したシャトルでも途中で引っ掛かって詰まることなく円滑に落下して、１個ずつ確実に取出してノック練習を効率よく行なえると共に、シャトル収納部の高さや向き、傾斜角度の調整が容易なバドミントンノック用シャトルホルダーを提供するものである。
【課題を解決するための手段】
【０００７】
本考案の請求項１記載のバドミントンノック用シャトルホルダーは、先端側をシャトル外径より小さく開口してシャトル取出口を形成し、後端側をシャト挿入口とした、内径がシャトル外径より大きく透明な円筒体の内側底面に長手方向に沿ったガイド溝を形成してシャトル収納部とし、このシャトル収納部の中間外側に連結部を設けて、この連結部を、自在継ぎ手に取付けた連結部を上部に有する折畳み自在の三脚に着脱自在に取付けたことを特徴とするものである。
【０００８】
本考案の請求項２記載のバドミントンノック用シャトルホルダーは、請求項１において三脚がカメラ支持用の三脚で形成されていることを特徴とするものである。
【考案の効果】
【０００９】
本考案に係る請求項１記載のバドミントンノック用シャトルホルダーによれば、傾斜したシャトル収納部内に挿入されたシャトルは、ベースが重いので、シャトル収納部の底面側に傾き、ここに長手方向に沿って形成されたガイド溝にガイドされながらシャトルがシャトル取出口に向かって滑らかに滑って落下していくので、羽根が損傷したシャトルでも、途中で引っ掛かって詰まることなく円滑に落下して、１個ずつ確実に取出すことができる。
【００１０】
また請求項２記載のバドミントンノック用シャトルホルダーによれば、三脚がカメラ支持用の三脚で形成されているので、シャトル収納部の高さや方向、傾斜角度を、練習する人の体型に合わせて容易に調整することができると共に、折り畳んでコンパクトにできるので持ち運びや保管が容易である。
【考案を実施するための最良の形態】
【００１１】
以下本考案の実施の一形態を図１ないし図４を参照して詳細に説明する。図において１はバドミントンノック用シャトルホルダーを示すもので、シャトル収納部２と三脚３とで構成されている。シャトル収納部２は図２に示すように、先端側をシャトル４の外径より小さく開口してシャトル取出口５を形成し、後端側をシャトル挿入口６とした、内径がシャトル４の外径より大きく透明なプラスチックで形成された円筒体７の内側底面に長手方向に沿った円弧状のガイド溝８を形成したものである。シャトル取出口５は円筒体７の先端側が順次内径が縮小した半球状の先端に円形に形成され、シャトル４の半球状のベース４ａが外部に突出し、後部の羽根４ｂが係止されるようになっている
【００１２】
またシャトル収納部２の中間にはステンレスなどのバンド１０を巻き付けて支持板１１が取付けられ、支持板１１の底部には一方の連結部１２が接合されている。また三脚３はカメラ支持用の折畳み自在の構造で、その上部に自在継ぎ手１４に取付けた他方の連結部１５が設けられている。
【００１３】
上記構成のバドミントンノック用シャトルホルダーは、三脚３の脚を広げて高さを調整する。またシャトル収納部２に取付けた連結部１２を、三脚３の上部に、自在継ぎ手１４に取付けた他方の連結部１５に嵌め込んでロックする。更に練習する人が、シャトル４を取り易い位置になるように、自在継ぎ手１４によりシャトル収納部２の傾斜角度や方向を調整して固定する。
【００１４】
この状態で、シャトル収納部２のシャトル挿入口６からベース４ａを下にして複数個のシャトル４を順次挿入する。挿入されたシャトル４は、図３および図４に示すようにベース４ａが重いので、シャトル収納部２の底面側に傾き、ここに長手方向に沿って形成されガイド溝８に沿ってベース４ａがガイドされながらシャトル４がシャトル取出口５に向かって滑らかに滑って落下していく。このため羽根４ｂの大きさが多少異なっても、ベース４ａが湾曲したガイド溝８にガイドされるので内部で横向きになって引っ掛かることを防止できる。
【００１５】
シャトル取出口５は、羽根４ｂの外径より小さな内径に形成されているので、図１に示すようにベース４ａが突出した状態で係止される。次に挿入したシャトル４も同様にベース４ａがガイドされながら滑らかに滑って落下して、シャトル取出口５で係止されている前のシャトル４の羽根４ｂの内側に挿入されて止る。
【００１６】
このようにして十数個のシャトル４を挿入して保持した状態で、シャトル取出口５で係止されているシャトル４を１個つかんで引出すと、保持されているシャトル４は自重で滑って次のシャトル４のベース４ａが突出した状態で係止される。従って一個ずつ連続的に取出すことができるので、ノックの練習を効率良く行うことができる。
【図面の簡単な説明】
【００１７】
【図１】本考案の実施の一形態によるバドミントンノック用シャトルホルダーの斜視図である。
【図２】図１のシャトル収納部を示す断面図である。
【図３】シャトル収納部内を落下するシャトルを示す正面図である。
【図４】シャトル収納部内を落下するシャトルを示す側面図である。
【符号の説明】
【００１８】
１    バドミントンノック用シャトルホルダー                  
２    シャトル収納部                                        
３    三脚                                                  
４    シャトル                                              
４ａ  ベース                                                
４ｂ  羽根                                                  
５    シャトル取出口                                        
６    シャト挿入口                                          
７    円筒体                                                
８    ガイド溝                                              
１０  バンド                                                
１１  支持板                                                
１２  連結部                                                
１４  自在継ぎ手                                            
１５  他方の連結部                                  
【図１】
0003149402.tif 000003
【図２】
0003149402.tif 000004
【図３】
0003149402.tif 000005
【図４】
0003149402.tif 000006